(57)【特許請求の範囲】
【請求項１】
剪定機本体後部に、剪定機本体を保持するための後部把手を設けた携帯用剪定機の把手構造において、
前記剪定機本体に対しほぼ水平方向に突出する手当て部を、前記後部把手の後方に突出させて前記後部把手を把持した手の手首関節までの長さよりも短く設け、前記後部把手を把持した手の小指側の側面の手首側を当てることができるように構成したことを特徴とする携帯用剪定機の把手構造。
【請求項２】
請求項１の手当て部を、後部把手に取り付け取り外し可能としたことを特徴とする携帯用剪定機の把手構造。
【発明の詳細な説明】
【０００１】
【発明が属する技術分野】
本発明は、木の枝等を剪定するための携帯用剪定機の把手構造に関するものである。
【０００２】
【従来の技術】
従来、電動機或いは原動機エンジンからなる駆動部を備えた携帯用剪定機においては、剪定機本体を作業者が確実に両手で保持できるように、剪定機本体の後部に後部把手と後部把手の前に前部把手とが備えられている。
【０００３】
この様な構造をした携帯用剪定機においては、作業者の近傍の木の枝等を剪定する場合には、両手で把手を確実に保持できるため、庭木等の剪定作業を安定して正確に、素早く行うことができる。しかし、作業者から少し離れた高所、低所にある木の枝等を剪定する場合には、作業者が片手で後部把手のみを保持し、腕を一杯に伸ばし剪定作業をすることになる。そのため作業者は、手のひらと指だけで携帯用剪定機の全重量を受けるため、手が疲れ易く、また、携帯用剪定機の保持が安定せず、上下左右にぐらつき、剪定作業を安定して正確に、素早く行うことができないという問題があった。
【０００４】
そこで、上記問題を解決するために、特開平１１−２７５９６１号公報には、携帯用剪定機の一つであるバリカン本体の両側方に突出する後付把手を後把手に着脱自在に設けた技術が開示されている。また、実開昭５３−１３３２９２号公報には、チェンソーの後部ハンドルの後方に、ひじを支持するためのひじ受を設けた技術が開示されている。
【０００５】
しかし、前者においては、前述の従来の携帯用剪定機と同様に、両方の手で後付把手を保持しなければならないため、バリカン本体を上下左右に傾斜させての剪定作業では、両手、両腕を一緒に傾かせなければならず、操作性が悪く、また、ネジで後付把手の取り付け取り外しを行わなければならず、取り扱いが不便であるという問題がある。後者においては、片手でチェンソーを保持し操作するものの、チェンソーを上方や左右に傾斜させての剪定作業では、作業者のひじがひじ受から離れ、前述の従来の携帯用剪定機と同様に、手のひらと指だけでチェンソーの全重量を受けることとなるため、手が疲れ易く、また、チェンソーの保持が安定せず、上方や左右にぐらつき、剪定作業を安定して正確に、素早く行うことができないという問題があった。
【０００６】
【発明が解決しようとする課題】
本発明は、上記従来の方法による問題点を解決しようとするもので、作業者の手の疲労を軽減するとともに、片手での剪定作業を安定して正確に、素早く行うことができる携帯用剪定機の把手構造を提供しようというものである。
【０００７】
本発明は、剪定機本体後部に、剪定機本体１を保持するための後部把手２を設けた携帯用剪定機の把手構造において、前記剪定機本体１に対しほぼ水平方向に突出する手当て部６，６２を、前記後部把手２の後方に突出させて前記後部把手２を把持した手の手首関節までの長さよりも短く設け、前記後部把手２を把持した手の小指側の側面の手首側を当てることができるように構成したことを特徴とする。また、前記手当て部６２については、後部把手に取り付け取り外し可能とすることができる。
【０００８】
【発明の実施の形態】
以下に本発明の実施の形態による携帯用剪定機の一つであるヘッジトリマの把手構造を、図１乃至図６に基づき説明する。
【０００９】
【実施例】
図１は、本発明の第１の実施の形態のヘッジトリマの把手構造を示す平面図である。図２は、図１の一部正面図である。図３は、参考例としてのヘッジトリマの把手構造を示す平面図である。図４は、図３の一部正面図である。図５は、本発明の第２の実施の形態のヘッジトリマの把手構造を示す平面図である。図６は、図５の一部正面図である。
【００１０】
まず、図１および図２により、本発明の第１の実施の形態のヘッジトリマの把手構造について説明する。１は内部に図示してない電動機或いは原動機エンジンからなる駆動部を備えた剪定機本体であるヘッジトリマ本体、５は可動刃と固定刃或いは２枚の可動刃で構成され、電動機或いは原動機エンジンにより前後方向（図中左右方向）に摺動する剪定部、２はヘッジトリマ本体１の後部に設けられた後部把手、３は後部把手２の前側に位置し、ヘッジトリマ本体１の後部下部の両側から剪定部側に斜め上方に向かって設けられている前部把手、４は剪定部５の後端（図中左端）に設けられ、剪定部５により剪定された木の枝や木の葉が作業者に向かって飛散するのを防止するために設けられている透明な合成樹脂で作られた保護カバーである。また、上記後部把手２の後部下方には、ヘッジトリマ本体１に対してほぼ水平方向に、後部把手２の後方（作業者側）に突出する手当て部６を一体に形成している。
【００１１】
以上の構成において、ヘッジトリマ本体１の後部把手２を片手７（図１乃至図２中一点鎖線）で把持し、手当て部６に把持した手７の小指側の側面７ａの手首側を当てることで、作業者から少し離れた高所、低所にある木の枝等の剪定作業を行う場合には、ヘッジトリマ本体１の全重量が後部把手２を把持する手７の手のひらや指だけに掛かるのでなく、手当て部６に当てられた手の小指側の側面７ａにも掛かり、重量が分散され手の疲労が軽減される。特に、ヘッジトリマ本体１を上下左右に傾斜させての剪定作業では、手の小指側の側面７ａの手首側が手当て部６に当っているため、ヘッジトリマ本体１のぐらつきが軽減される。そのため剪定作業を安定して正確に、素早く行うことができる。
【００１２】
次に、図３および図４により、参考例としてのヘッジトリマの把手構造について説明する。なお、第１の実施の形態と同じ部材には、同じ符号を付し、その説明は省略する。
【００１３】
参考例では、上記後部把手２の下部に形成する手当て部６１を、ヘッジトリマ本体１に対してほぼ水平方向に、図３中下方に突出して形成している。この様に構成したことにより、ヘッジトリマ本体１の後部把手２を右手で把持し、手当て部６１に把持した手の小指側の側面７ａの一部を当てることができるので、第１の実施の形態と同様の作用効果を生じる。また、この手当て部６１は右手で後部把手２を把持することを想定して形成したものであるが、左手用に図３中上方に突出させて形成しても良い。
【００１４】
次に、図５および図６により、本発明の第２の実施の形態のヘッジトリマの把手構造について説明する。なお、第１の実施の形態と同じ部材には、同じ符号を付し、その説明は省略する。
【００１５】
第２の実施の形態では、上記後部把手２の下部に形成する手当て部６２を、ヘッジトリマ本体１に対してほぼ水平方向に、後部把手２の手で把持する部分のほぼ半周を囲んで突出して形成している。更に、この手当て部６２は、後部把手２の周囲に形成された溝２ａに取り付け取り外し可能に構成されている。この様に構成したことにより、ヘッジトリマ本体１の後部把手２を右手で把持した場合でも、左手で把持した場合でも手当て部６２に把持した手の小指側の側面７ａのほぼ全面を当てることができるので、第１の実施の形態以上に手の疲労を軽減され、剪定作業を安定して正確に、素早く行うことができる。更に、手当て部６２を後部把手２に取り付け取り外し可能に構成したので、両手での剪定作業や収納時等の不要時には取り外すことができ、取り扱いが便利となる。
【００１６】
なお、前述の実施の形態では、ヘッジトリマを携帯用剪定機の一つとして説明したが、片手で把持でき、木の枝や木の葉の剪定、芝等の刈り取りに使用するものであれば、本発明の実施が可能である。
【００１７】
【発明の効果】
以上説明したように本発明の携帯用剪定機の把手構造は、前記剪定機本体１に対しほぼ水平方向に突出する手当て部６，６２を、前記後部把手２の後方に突出させて前記後部把手２を把持した手の手首関節までの長さよりも短く設け、前記後部把手２を把持した手の小指側の側面の手首側を当てることができるように構成したので、作業者の手の疲労が軽減され、片手での剪定作業を安定して正確に、素早く行うことが可能な携帯用剪定機の把手構造を提供できる。また、前記手当て部６２を後部把手に取り付け取り外し可能としたので、両手での剪定作業や収納時等の不要時には取り外すことができ、取り扱いが便利となる。
【図面の簡単な説明】
【図１】  本発明の第１の実施の形態のヘッジトリマの把手構造を示す平面図である。
【図２】  図１の正面図である。
【図３】  参考例としてのヘッジトリマの把手構造を示す平面図である。
【図４】  図３の正面図である。
【図５】  本発明の第２の実施の形態のヘッジトリマの把手構造を示す平面図である。
【図６】  図５の正面図である。
【符号の説明】
１  ヘッジトリマ本体、２  後部把手、３  前部把手、４  保護カバー、５  剪定部、６，６１，６２  手当て部。
【図１】
0004266555.tif 000002
【図２】
0004266555.tif 000003
【図３】
0004266555.tif 000004
【図４】
0004266555.tif 000005
【図５】
0004266555.tif 000006
【図６】
0004266555.tif 000007